(57)【要約】【課題】  ロープ等の必要本数に応じて自在に対応可能とし、コストの低減化も実現する。【解決手段】  ロープ又はチェーンを巻き掛けるエレベータ用シーブであって、一側面長手方向の両端側にそれぞれ抜け止め用溝１ａが形成された回転軸体１と、この回転軸体に位置ずれ阻止機構を介して取り付ける所要数の単一シーブ３と、所要数の単一シーブを両側から挟むように取り付ける外れ止め体４と、回転軸体の外れ止め体の外側に形成される抜け止め用溝１ａに嵌め込み、外れ止め体の離脱を阻止する抜け止め用キープレート５とを設け、前記位置ずれ阻止機構６としては、回転軸体の一側面長手方向の両端側に配置される抜け止め用溝間に単一シーブの幅によって決まる間隔で形成される位置ずれ阻止用溝６ａ、この位置ずれ阻止用溝に嵌め込んで外方に突出される位置ずれ阻止用ロック６ｅ及び単一シーブに設けられ位置ずれ阻止用ロックに嵌合される位置ずれ阻止用キー６ｄとで構成されているエレベータ用シーブである。【選択図】      図１
2005247571.tif 000002
【特許請求の範囲】
【請求項１】
ロープ又はチェーンを巻き掛けるエレベータ用シーブにおいて、
一側面長手方向の両端側にそれぞれ抜け止め用溝が形成された回転軸体と、
この回転軸体に位置ずれ阻止機構を介して順次連結される所要数の単一シーブと、
前記回転軸体に対して前記所要数の単一シーブを両側から挟むように取り付けられ、当該単一シーブよりも大径に形成される前記ロープ又はチェーンの外れ止め体と、
前記回転軸体の前記外れ止め体の外側に形成される前記抜け止め用溝に嵌め込むことにより、前記回転軸体からの前記外れ止め体の離脱を阻止する抜け止め用キープレートとを備えたことを特徴とするエレベータ用シーブ。
【請求項２】
ロープ又はチェーンを巻き掛けるエレベータ用シーブにおいて、
一側面長手方向の両端側にそれぞれ抜け止め用溝が形成された回転軸体と、
この回転軸体に位置ずれ阻止機構を介して順次連結され、外周面に前記ロープ又はチェーンの径よりも十分に深い巻き掛け溝が形成された所要数の単一シーブと、
前記回転軸体の前記所要数の単一シーブの外側に形成される前記抜け止め用溝に嵌め込むことにより、前記回転軸体からの前記単一シーブの離脱を阻止する抜け止め用キープレートとを備えたことを特徴とするエレベータ用シーブ。
【請求項３】
請求項１又は請求項２に記載のエレベータ用シーブにおいて、
前記回転軸体に所要数の単一シーブを取り付けるための位置ずれ阻止機構としては、
前記回転軸体の一側面長手方向の両端側に配置される前記抜け止め用溝間に前記単一シーブの幅によって決まる間隔で形成される位置ずれ阻止用溝と、
この位置ずれ阻止用溝に嵌め込んで外方に突出される位置ずれ阻止用ロックと、
前記単一シーブの軸貫通孔に連通して形成され、前記位置ずれ阻止用ロックに嵌合される位置ずれ阻止用キーとで構成されていることを特徴とするエレベータ用シーブ。
【請求項４】
請求項１又は請求項２に記載のエレベータ用シーブにおいて、
前記回転軸体に所要数の単一シーブを取り付けるための位置ずれ阻止機構としては、
前記回転軸体の一側面長手方向の両端側に配置される前記抜け止め用溝間に突設される所定長さの位置ずれ阻止用ロックと、
前記単一シーブの軸貫通孔に連通して形成され、前記位置ずれ阻止用ロックに嵌合される位置ずれ阻止用キーとで構成されていることを特徴とするエレベータ用シーブ。
【請求項５】
請求項１又は請求項２に記載のエレベータ用シーブにおいて、
回転軸体に所要数の単一シーブを取り付けるための位置ずれ阻止機構としては、
前記回転軸体の一側面長手方向の両端側に配置される前記抜け止め用溝間に形成される所定長さの位置ずれ阻止キー溝と、
この位置ずれ阻止キー溝に嵌め込んで外方に突出される所定長さの位置ずれ阻止用ロックと、
前記単一シーブの軸貫通孔に連通して形成され、前記位置ずれ阻止用ロックに嵌合される位置ずれ阻止用キーとで構成されていることを特徴とするエレベータ用シーブ。
【請求項６】
請求項３又は請求項５に記載のエレベータ用シーブにおいて、
前記位置ずれ阻止用ロックとしては、振動吸収材を用いることを特徴とするエレベータ用シーブ。
【請求項７】
請求項１ないし請求項６の何れか一項に記載のエレベータ用シーブにおいて、
前記単一シーブは、その一方面部の所定位置に少なくとも１つの凸体、他方面部の所定位置に当該凸体と同じ数の凹体を形成し、前記単一シーブの凹体に隣接する他の単一シーブの凸体を嵌合し連結可能としたことを特徴とするエレベータ用シーブ。
【請求項８】
請求項１又は請求項２に記載のエレベータ用シーブにおいて、
前記回転軸体は、両側に配置される両側軸体とロープ又はチェーンの所定数を越える本数の増加に伴って前記両側軸体の中間に追加される軸体とに分割するとともに、相隣接する軸体の端部は互いに反対側に半円形状部を形成して接合可能とし、かつ、これら複数の軸体に跨るようにキー溝を形成したことを特徴とするエレベータ用シーブ。
【請求項９】
請求項１又は請求項２に記載のエレベータ用シーブにおいて、
前記単一シーブは、その外周面に２本のロープ又はチェーンを巻き掛け可能な溝が形成されていることを特徴とするエレベータ用シーブ。
【発明の詳細な説明】
【技術分野】
【０００１】
本発明は、エレベータに使用されるロープやチェーンを巻き掛けるエレベータ用シーブに関する。
【背景技術】
【０００２】
従来、エレベータに使用されるロープやチェーンを巻き掛けるシーブは、図６に示すように、予め標準的と考えられる最大のロープ本数或いはチェーン本数を想定し、それら最大のロープ本数又はチェーン本数を巻き掛けるに十分な幅をもった回転軸取り付け可能な軸貫通孔５１をもった円形ドラム形状の鋳物５２を製造した後、この鋳物５２の外周面に機械加工により必要本数分の溝５３を形成し、所要のエレベータ用シーブを完成させている。
【発明の開示】
【発明が解決しようとする課題】
【０００３】
ところで、以上のようなエレベータ用シーブは、予め標準的と考えられる最大のロープ本数或いはチェーン本数を想定し、十分な幅をもった円形ドラム形状の鋳物５２を製造することから、想定した本数を越えるロープ又はチェーンを適用する場合、新たに鋳物５２を製造する必要があり、コストアップにつながる問題がある。
【０００４】
また、想定本数よりも少ない本数のロープ又はチェーンを適用する場合、鋳物５２の外周面の中心部に寄った状態で機械加工により溝５３を形成するので、非常に材料の無駄が多く、しかも大きな形状のエレベータ用シーブに合せて他の機器のレイアウトを考慮する必要があり、設計上の融通性に欠ける問題がある。
【０００５】
本発明は上記事情に鑑みてなされたもので、ロープ又はチェーンの必要本数に応じて自在に対応可能とし、また連結組み立て式で最適な幅のシーブを実現し、コストの低減化も実現するエレベータ用シーブを提供することを目的とする。
【課題を解決するための手段】
【０００６】
（１）  上記課題を解決するために、本発明に係るエレベータ用シーブは、一側面長手方向の両端側にそれぞれ抜け止め用溝が形成された回転軸体と、この回転軸体に位置ずれ阻止機構を介して順次連結される所要数の単一シーブと、前記回転軸体に対して前記所要数の単一シーブを両側から挟むように取り付けられ、当該単一シーブよりも大径に形成される前記ロープ又はチェーンの外れ止め体と、前記回転軸体の前記外れ止め体の外側に形成される前記抜け止め用溝に嵌め込むことにより、前記回転軸体からの前記外れ止め体の離脱を阻止する抜け止め用キープレートとを設けた構成である。
【０００７】
この発明は以上のような構成とすることにより、回転軸体に位置ずれ阻止機構を介して所要数の単一シーブを順次連結し、外側から外れ止め体で挟むように取り付けるので、ロープ又はチェーンの本数に応じて自在に単一シーブを連結してシーブを実現でき、従来のような無駄が出たり、大型の外形のシーブに少ない本数のロープを掛け渡すという問題がなくなり、しかもコストダウンを図ることが可能となる。
【０００８】
（２）  また、本発明に係るエレベータ用シーブは、一側面長手方向の両端側にそれぞれ抜け止め用溝が形成された回転軸体と、この回転軸体に位置ずれ阻止機構を介して順次連結され、外周面に前記ロープ又はチェーンの径よりも十分に深い巻き掛け溝が形成された所要数の単一シーブと、前記回転軸体の前記所要数の単一シーブの外側に形成される前記抜け止め用溝に嵌め込むことにより、前記回転軸体からの前記単一シーブの離脱を阻止する抜け止め用キープレートとを設けた構成である。
【０００９】
この発明は、単一シーブに巻き掛ける溝をロープ又はチェーンの径よりも十分に深い巻き掛け溝とすることにより、前記（１）の構成から外れ止め体を削除しても、ロープ又はチェーンが単一シーブから外れることなく巻き掛けることが可能となり、益々部品点数の削減及びコストの低減化を図ることができる。
【００１０】
（３）  なお、前記（１）及び（２）の構成において、回転軸体に所要数の単一シーブを取り付けるための位置ずれ阻止機構としては、３通りの構成が考えられる。
【００１１】
（I）  回転軸体の一側面長手方向の両端側に配置される前記抜け止め用溝間に単一シーブの幅によって決まる間隔で形成される位置ずれ阻止用溝と、この位置ずれ阻止用溝に嵌め込んで外方に突出される位置ずれ阻止用ロックと、前記単一シーブの軸貫通孔に連通して形成され、前記位置ずれ阻止用ロックに嵌合される位置ずれ阻止用キーとで構成する。
【００１２】
（II）  回転軸体の一側面長手方向の両端側に配置される抜け止め用溝間に前記単一シーブの幅によって決まる間隔で形成される位置ずれ阻止用溝と、
この位置ずれ阻止用溝に嵌め込んで外方に突出される位置ずれ阻止用ロックと、
前記単一シーブの軸貫通孔に連通して形成され、前記位置ずれ阻止用ロックに嵌合される位置ずれ阻止用キーとで構成する。
【００１３】
また、前記位置ずれ阻止用ロックとしては、振動吸収材を用いれば、シーブの回転や回転軸体の多少の軸ぶれに起因して発生する振動を低減することが可能となる。
【００１４】
さらに、前述する単一シーブとしては、その一方面部の所定位置に少なくとも１つの凸体、他方面部の所定位置に当該凸体と同じ数の凹体を形成し、前記単一シーブの凹体に隣接する他の単一シーブの凸体を嵌合し連結可能とすれば、所要数の単一シーブを非常に簡単に連結していくことができ、組立作業の簡素化を図ることができる。
【００１５】
さらに、本発明は、回転軸体としては、両側に配置される両側軸体とロープ又はチェーンの所定数を越える本数の増加に伴って前記両側軸体の中間に追加される軸体とに分割するとともに、相隣接する軸体の端部は互いに反対側に半円形状部を形成して接合可能とし、かつ、これら複数の軸体に跨るようにキー溝を形成すれば、ロープ又はチェーンの所定数を越える本数の増加に従って中間軸体を追加していくので、自在、かつ柔軟にロープ又はチェーンの本数に応じたエレベータ用シーブを実現できる。
【００１６】
さらに、本発明は、２本のロープ又はチェーンを巻き掛け可能な溝が形成した単一シーブと１本のロープ又はチェーンを巻き掛け可能な溝が形成した単一シーブとを用意すれば、さらに柔軟に最適な幅のエレベータ用シーブを実現することが可能である。
【発明の効果】
【００１７】
本発明は、ロープ又はチェーンの必要本数に応じて自在に対応でき、また連結組み立て式で最適な幅のシーブを実現でき、コストの低減化にも大きく貢献するエレベータ用シーブを実現できる。
【発明を実施するための最良の形態】
【００１８】
以下、本発明の実施の形態について図面を参照して説明する。  
（第1の実施形態）
図１は本発明に係るエレベータ用シーブの一実施の形態を示すシーブ組立図である。  
このエレベータ用シーブは、所定の部材に回転可能に軸支される回転軸体１と、ロープ又はチェーン２を巻き掛けるための単一シーブ３と、この単一シーブ３に巻き掛けられたロープ又はチェーンの離脱を防ぐための外れ止め体４と、回転軸体１から外れ止め体４が離脱するのを防ぐための抜け止め用キープレート５とによって構成されている。
【００１９】
なお、回転軸体１には複数の単一シーブ３が位置ずれなく取り付ける必要があり、そのために回転軸体１及び単一シーブ３には図１及び図２に示すような位置ずれ阻止機構６が設けられている。
【００２０】
前記回転軸体１は、図２（ａ）に示すように、一側面長手方向の両端側に抜け止め用溝１ａ，…が形成され、さらにこれら両側の抜け止め用溝１ａ間に単一シーブ３の幅により定まる間隔をもって位置ずれ阻止用溝６ａ，…が形成されている。通常、回転軸体１の一端側には1つの抜け止め用溝１ａが形成され、反対側端部に複数の抜け止め用溝１ａ，…が形成される。反対側端部に複数の抜け止め用溝１ａ，…を設けた理由は、単一シーブ３の増減に対応させるためである。
【００２１】
図２（ｂ）に示す回転軸体１は、当該軸体一端側となる図示下端側に１つの抜け止め用溝１ａが形成され、さらに当該抜け止め用溝１ａよりも上側となる同一側面長手方向に所定長さの位置ずれ阻止用ロック６ｂが突設されている。この位置ずれ阻止用ロック６ｂは、単一シーブ３の連結数が定められている場合、それら単一シーブ３の連結数に相当する幅方向長さＬに形成されている。この回転軸体１の他端側となる図示上端側に少なくとも１つ以上の抜け止め用溝１ａ，…が形成されている。
【００２２】
次に、図２（ｃ）に示す回転軸体１は、同図（ｂ）の位置ずれ阻止用ロック６ｂに代わって所定長さの位置ずれ阻止キー溝６ｃが形成され、その他は図２（ｂ）と同様である。
【００２３】
前記単一シーブ３は、中心部分に回転軸体１を通すための軸貫通孔３ａが形成され、かつこの軸貫通孔３ａの一側面に連なってシーブ幅方向に位置ずれ阻止用キー６ｄが施されている。さらに、単一シーブ３の最外周方向に１本のロープ又は1個のチェーンを巻き掛けるために必要な溝３ｂが形成されている。
【００２４】
前記外れ止め体４は、単一シーブ３の径よりも大きな径を有する円形体に形成され、かつ中心部分に回転軸体１を通すための軸貫通孔４ａが形成されている。この外れ止め体４は、回転軸体１に連結して組み立てられた所要数の単一シーブ３，…を両側から挟み込むように配置される（図１下段図参照）。
【００２５】
前記抜け止め用キープレート５は、所要数の単一シーブ３，…を両側から挟み込むように配置される外れ止め体４よりも外側に施されてする回転軸体１上の抜け止め用溝１ａに嵌め込むことにより、回転軸体1から単一シーブ３を含む外れ止め体４が離脱するのを阻止する機能をもっている。なお、この抜け止め用キープレート５は、前述するように外れ止め体４よりも外側の抜け止め用溝１ａに嵌め込むが、例えば図２（ａ）のように両端部の間に単一シーブ３の幅によって定まる間隔をもって位置ずれ阻止用溝６ａ，…が形成されているので、この位置ずれ阻止用溝６ａには例えば抜け止め用キープレート５と同様な形状を有する位置ずれ阻止用ロック６ｅを嵌め込んだ後、所要枚数の単一シーブ３，…を順次連結していくので、各単一シーブ３，…の位置ずれを確実に防ぐことができる。
【００２６】
また、図２（ｃ）に示すように、単一シーブ３の所要数に相当する幅方向の長さＬの位置ずれ阻止キー溝６ｃが形成されている場合、この溝６ｃには前記長さＬに相当する位置ずれ阻止用ロック６ｆを嵌め込んだ後、その上に単一シーブ３に形成された位置ずれ阻止用キー６ｄを嵌合し、各単一シーブ３，…の位置ずれを防いでいる。
【００２７】
次に、以上のようなエレベータ用シーブの連結による組み立て例について説明する。
【００２８】
先ず、図２（ａ）に示すような回転軸体１を用いる場合、当該回転軸体１の図示最下端側の１つの抜け止め用溝１ａに抜け止め用キープレート５を嵌め込んだ後、回転軸体１に軸貫通孔４ａを介して外れ止め体４を取り付ける。この外れ止め体４は抜け止め用キープレート５で阻止されているので、外側に抜け出ない。
【００２９】
しかる後、回転軸体１の下側から上側に形成されている位置ずれ阻止用溝６ａ，…に順次位置ずれ阻止用ロック６ｅを嵌め込んだ後、所要枚数の単一シーブ３，…を取り付けていく。このとき、単一シーブ３の位置ずれ阻止用キー６ｄと当該位置ずれ阻止用ロック６ｅとが互いに嵌め込み式で接続されるので、単一シーブ３による回転方向の位置ずれは阻止される。この単一シーブ３の取り付けは、所要とする数だけ同様の取り付け手段によって取り付けられる。
【００３０】
以上のようにして所要数の単一シーブ３、…を連結して組み込んだ後、回転軸体１に軸貫通孔４ａを介して外れ止め体４を取り付け、最後に抜け止め用溝１ａに抜け止め用キープレート５をはめ込んで組み立てを完了する。
【００３１】
なお、図２（ｂ）に示す回転軸体１を用いる場合、回転軸体１の同一側面長手方向に位置ずれ阻止用ロック６ｂが突設されているので、この位置ずれ阻止用ロック６ｂに位置ずれ阻止用キー６ｄを嵌め込むように所要数の単一シーブ３を順次連結していく。そして、回転軸体１に軸貫通孔４ａを介して外れ止め体４を取り付け、最後に抜け止め用溝１ａに抜け止め用キープレート５をはめ込んで組み立てを完了する。
【００３２】
さらに、図２（ｃ）に示す回転軸体１を用いる場合、回転軸体１の同一側面長手方向に位置ずれ阻止キー溝６ｃが形成されているので、この位置ずれ阻止キー溝６ｃに位置ずれ阻止用ロック６ｆを嵌め込んだ後、その上に単一シーブ３に形成された位置ずれ阻止用キー６ｄを嵌合し、所要数の単一シーブ３を順次連結していく。そして、回転軸体１に軸貫通孔４ａを介して外れ止め体４を取り付け、最後に抜け止め用溝１ａに抜け止め用キープレート５をはめ込んで組み立てを完了する。
【００３３】
従って、以上のような実施の形態によれば、回転軸体１に単一シーブ３を連結し組み合わせることによってエレベータ用シーブを完成するので、ロープ或いはチェーンの本数に応じて自在に連結し所要の大きさのエレベータ用シーブを実現することができる。よって、柔軟性に富んだシーブの実現が可能となり、しかも余分な材料費が発生しない。
【００３４】
さらに、単一シーブ３を連結式で組み立てるので、エレベータシーブ自体を最小幅で組み立てることができる。
【００３５】
さらに、予め一体成形によって標準的な溝を形成した単一シーブを作ることができるので、従来のように特別な機械加工により溝を形成する必要がなく、大幅にコストダウンを図ることができる。
【００３６】
なお、上記実施の形態では、図２（ａ），（ｃ）のごとき回転軸体１の場合に単一シーブ３を嵌合するための位置ずれ阻止用ロック６ｅ，６ｆとして、硬質材料を想定しているが、例えば振動吸収材料を使用すれば、シーブの回転や回転軸体１の多少の軸ぶれに起因して発生する振動を低減させることができる。
【００３７】
（第２の実施の形態）
図３は本発明に係るエレベータ用シーブに用いられる単一シーブ２の他の実施の形態を示す図である。  
図１に示す単一シーブ３において、その一方面部側である図示表面側に少なくとも１つ以上の所要形状の嵌合凸体３ｄが形成され、また他方面部側である図示裏面側に少なくと１つ以上の所要形状の被嵌合凹体（図示せず）が形成されている。因みに、図３では、単一シーブ３の軸貫通孔３ａを中心とし、直交する４方向にそれぞれ同一形状の嵌合凸体３ｄが形成され、反対側にも同様に直交する４方向にそれぞれ同一形状の被嵌合凸体が形成されている。これら４つの嵌合凸体３ｄの形状が異なってもよいが、その場合には反対側も同様に異なる形状の被嵌合凹体を形成する。
【００３８】
単一シーブ３の連結組み合わせに対しては、単一シーブ３の被嵌合凹体に隣接する単一シーブ３の嵌合凸体３ｄを嵌め込むように取り付け、順次前の単一シーブ３の被嵌合凹体に次の単一シーブ３の嵌合凸体３ｄを嵌め込むことにより、所要数の単一シーブ３を連結する。
【００３９】
なお、他の構成については、何ら説明されていないが、図１と同様であるので、所要数の単一シーブ３の両側を外れ止め体４で挟み込み、回転軸体１に形成されている抜け止め用溝１ａに抜け止め用キープレート５をはめ込んで組み立てることは図１と同様である。
【００４０】
従って、このような実施の形態によれば、単一シーブ３の一方面部側に嵌合凸体３ｄ、他方面部側に被嵌合凹体を形成することにより、第１の実施の形態と同様の作用効果を奏するとともに、単一シーブ３同士を嵌め合わせるだけであるので、所要数の単一シーブ３を非常に簡単に連結していくことができ、組立作業の簡素化を図ることができる。
【００４１】
（第３の実施の形態）
図４は本発明に係るエレベータ用シーブに用いられる単一シーブ３のさらに他の実施の形態を示す図である。  
この単一シーブ３は、予め最外周方向に一体成形などによってロープ又はチェーンを巻き掛けるための溝３ｂが形成されているが、この溝３ｂを十分に深くし、例えはロープ２が外れないようにすれば、図１に示す両側の外れ止め体４を必要とせず、所要数の単一シーブ３を連結することができる。なお、このような構成の場合には、抜け止め用溝１ａに抜け止め用キープレート５をはめ込むことにより、外側の単一シーブ３が抜け出ないように構成することは言うまでもない。
【００４２】
なお、その他の構成については、図１及び図２と同様であるので、それらの図の説明に譲る。
【００４３】
従って、この実施の形態によれば、第１の実施の形態と同様の作用効果を奏する他、外れ止め体４が不要になるので、異なる部品点数が少なくなり、よりコストの低減化に貢献する。
【００４４】
（第４の実施の形態）
図５は本発明に係るエレベータ用シーブに用いられる回転軸体１の他の実施の形態を示す図である。  
この回転軸体１は、予め複数の軸体１Ａ、１Ｂ、１Ｃに分割し、単一シーブ３の必要数に応じて複数の分割軸体１Ａ、１Ｂ、１Ｃを選択的に連結し組み立てていく例である。
【００４５】
先ず、分割軸体１Ａの一端部側には軸体１Ａ、１Ｂ、１Ｃの径よりも大きな径を有する外れ止め１１が取り付けられ、当該分割軸体１Ａの他端部側には軸体長手方向に所定長さだけカットした半円形状部１２が設けられている。さらに、分割軸体１Ａの一側面長手方向にキー溝１３ａが施されている。
【００４６】
分割軸体１Ｂは、単一シーブ３の必要数が多くなった時に随時継ぎ足していく胴体部分となる軸体であって、この分割軸体１Ｂの両端部には互いに相反する面側の軸体長手方向に所定長さだけカットした半円形状部１４ａ，１４ｂが形成され、さらに分割軸体１Ｂの一側面長手方向にキー溝１３ｂが施されている。
【００４７】
分割軸体１Ｃは、分割軸体１Ａとは反対側の端部に連結される軸体であって、軸体一端側長手方向に所定長さだけカットした半円形状部１５が形成され、かつ、半円形状部１５とは反対側端部側には抜け止め用溝１６が施されている。さらに、分割軸体１Ｃの一側面長手方向にキー溝１３ｃが施されている。
【００４８】
次に、回転軸体１の組み立て例について説明する。  
単一シーブ３の必要数が分割軸体１Ａ及び１Ｃで足りる場合、分割軸体１Ａの半円形状部１２と分割軸体１Ｃの半円形状部１５とを重ね合わすように接合させた後、これら両分割軸体１Ａ、１Ｃの同一面側にキー溝１３ａ及びキー溝１３ｃが現れるので、これらキー溝１３ａ、１３ｃに跨る長さのキープレート（図示せず）を嵌め込むことにより、分割軸体１Ａと１Ｃとを連結し、回転軸体１の組み立てを完了する。
【００４９】
一方、単一シーブ３の数が増加してきた場合、分割軸体１Ａと分割軸体１Ｃとの間に１個以上の分割軸体１Ｂを追加し、前述と同様な要領で連結し、長尺の回転軸体１を完成する。
【００５０】
従って、このような実施の形態によれば、予め標準となる最小長さの分割軸体１Ａ及び１Ｃを作り、これに単一シーブ３の数に応じて分割軸体１Ｂを追加していくので、回転軸体１の長さを最小に留めることができるだけでなく、単一シーブ３数に応じて柔軟に使用することができ、レイアウト上有利となる。また、分割軸体１Ａの一端部側に外れ止め１１を設けているので、第１の実施の形態のような外れ止め体３が不要になる。
【００５１】
その他、本発明は、上記実施の形態に限定されるものでなく、その要旨を逸脱しない範囲で種々変形して実施できる。
【００５２】
上記実施の形態では、単一シーブ３には１本のロープ等２を巻き掛ける溝３ｂが形成されているが、１本のロープ等２を巻き掛ける溝３ｂを形成した単一シーブ３と２本のロープ等２を巻き掛ける溝を形成した単一シーブ３とを用意しておけば、ロープ本数に応じて適宜選択的に組み合わせてシーブをつくることができる。
【００５３】
また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【図面の簡単な説明】
【００５４】
【図１】本発明に係るエレベータ用シーブの一実施の形態を説明する分解組立図。
【図２】回転軸体に所要数の単一シーブを取り付けるための位置ずれ阻止機構を説明する図。
【図３】本発明に係るエレベータ用シーブの他の実施の形態を説明するための単一シーブの他の例を示す図。
【図４】本発明に係るエレベータ用シーブの他の実施の形態を説明するための単一シーブの溝部分を示す断面図。
【図５】本発明に係るエレベータ用シーブの他の実施の形態を説明するための回転軸体の他の例を説明する分解図。
【図６】従来のエレベータ用シーブを説明する斜視図。
【符号の説明】
【００５５】
１…回転軸体、１ａ…抜け止め用溝、１Ａ、１Ｂ、１Ｃ…分割軸体、２…ロープ又はチェーン、３…単一シーブ、３ｂ…溝、３ｄ…凸体、４…外れ止め体、５…抜け止め用キープレート、６…位置ずれ阻止機構、６ａ…位置ずれ阻止用溝、６ｂ，６ｅ，６ｆ…位置ずれ阻止用ロック、６ｃ…位置ずれ阻止キー溝、６ｄ…位置ずれ阻止用キー、１１…外れ止め、１２，１４ａ，１４ｂ，１５…半円形状部、１３ａ，１３ｂ，１３ｃ…キー溝、１６…抜け止め用溝。
【図１】
2005247571.tif 000003
【図２】
2005247571.tif 000004
【図３】
2005247571.tif 000005
【図４】
2005247571.tif 000006
【図５】
2005247571.tif 000007
【図６】
2005247571.tif 000008